【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
物体側から順に配置された、負の屈折力を有する前側レンズ群と光路を折り曲げる光学部材と正の屈折力を有する後側レンズ群とを備えた正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を含み構成されていることを特徴とする屈曲ズームレンズ。
【請求項２】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β52×（１−β4W2）｜の値が約１．０〜約２．０になるようにし、かつ、｜β52×
（１−β4T2）｜の値が約１．０〜約２．０になるようにしたことを特徴とする屈曲ズー
ムレンズ。
【請求項３】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第５レンズ群の結像倍率をβ5とすると
き、
｜β5｜の値が約０．５以下になるようにしたことを特徴とする屈曲ズームレンズ。
【請求項４】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2Tとするとき、
｜β2T｜の値が約１．０以下になるようにしたことを特徴とする屈曲ズームレンズ。
【請求項５】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記第４レンズ群を構成する各レンズの、最も前記物体側面の曲率半径をＲ4a、最も像面側面の曲率半径をＲ4bとするとき、
｜Ｒ4a｜／Ｒ4bの値が約１．１以下になるようにしたことを特徴とする屈曲ズームレンズ。
【請求項６】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β52×（１−β4W2）｜の値が約１．０〜約２．０になるようにし、かつ、｜β52×
（１−β4T2）｜の値が約１．０〜約２．０になるようにし、かつ、｜β5｜の値が約０．５以下になるようにしたことを特徴とする屈曲ズームレンズ。
【請求項７】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β2T｜の値が約１．０以下になるようにし、かつ、｜β52×（１−β4W2）｜の値が
約１．０〜約２．０になるようにし、かつ、｜β52×（１−β4T2）｜の値が約１．０〜
約２．０になるようにしたことを特徴とする屈曲ズームレンズ。
【請求項８】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最
も像面側面の曲率半径をＲ4bとするとき、
｜β52×（１−β4W2）｜の値が約１．０〜約２．０になるようにし、かつ、｜β52×
（１−β4T2）｜の値が約１．０〜約２．０になるようにし、かつ、｜Ｒ4a｜／Ｒ4bの値
が約１．１以下になるようにしたことを特徴とする屈曲ズームレンズ。
【請求項９】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5とするとき、
｜β2T｜の値が約１．０以下になるようにし、かつ、｜β52×（１−β4W2）｜の値が
約１．０〜約２．０になるようにし、かつ、｜β52×（１−β4T2）｜の値が約１．０〜
約２．０になるようにし、かつ、｜β5｜の値が約０．５以下になるようにしたことを特
徴とする屈曲ズームレンズ。
【請求項１０】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最
も像面側面の曲率半径をＲ4bとするとき、
｜β52×（１−β4W2）｜の値が約１．０〜約２．０になるようにし、かつ、｜β52×
（１−β4T2）｜の値が約１．０〜約２．０になるようにし、かつ、｜β5｜の値が約０．５以下になるようにし、かつ、｜Ｒ4a｜／Ｒ4bの値が約１．１以下になるようにしたことを特徴とする屈曲ズームレンズ。
【請求項１１】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β2T｜の値が約１．０以下になるようにし、かつ、｜β52×（１−β4W2）｜の値が
約１．０〜約２．０になるようにし、かつ、｜β52×（１−β4T2）｜の値が約１．０〜
約２．０になるようにし、かつ、｜Ｒ4a｜／Ｒ4bの値が約１．１以下になるようにしたことを特徴とする屈曲ズームレンズ。
【請求項１２】
物体側から順に配置された、負の屈折力を有する前側レンズ群と光路を折り曲げる光学部材と正の屈折力を有する後側レンズ群とを備えた第１レンズ群と、第２レンズ群と、第３レンズ群と、第４レンズ群と、第５レンズ群と、を含み構成され、
前記物体までの距離が無限遠である場合の前記第２レンズ群の望遠端における結像倍率をβ2T、前記物体までの距離が無限遠である場合の前記第４レンズ群の広角端における結像倍率をβ4W、前記物体までの距離が無限遠である場合の前記第４レンズ群の望遠端における結像倍率をβ4T、前記物体までの距離が無限遠である場合の前記第５レンズ群の結像倍率をβ5、前記第４レンズ群を構成する各レンズの、最も前記物体側面の曲率半径をＲ4a、最も像面側面の曲率半径をＲ4bとするとき、
｜β2T｜の値が約１．０以下になるようにし、かつ、｜β52×（１−β4W2）｜の値が
約１．０〜約２．０になるようにし、かつ、｜β52×（１−β4T2）｜の値が約１．０〜
約２．０になるようにし、かつ、｜β5｜の値が約０．５以下になるようにし、かつ、｜
Ｒ4a｜／Ｒ4bの値が約１．１以下になるようにしたことを特徴とする屈曲ズームレンズ。
【請求項１３】
前記第１レンズ群、前記第３レンズ群、または前記第５レンズ群を構成する各レンズのうち、少なくともいずれか１面に非球面が形成されていることを特徴とする請求項１〜１２のいずれか一つに記載の屈曲ズームレンズ。
【請求項１４】
前記第２レンズ群及び前記第４レンズ群でズームを行い、前記第４レンズ群でフォーカスを行うものであり、広角側から望遠側へのズームは、前記第２レンズ群および第４レンズ群を前記物体側から前記像面側へ一方向で行うことを特徴とする請求項１に記載の屈曲ズームレンズ。
【手続補正２】
【補正対象書類名】明細書
【補正対象項目名】０００６
【補正方法】変更
【補正の内容】
【０００６】
【特許文献１】特許第３４８６４７４号公報
【特許文献２】特開２００４−３５４８６９号公報
【手続補正３】
【補正対象書類名】明細書
【補正対象項目名】０００９
【補正方法】変更
【補正の内容】
【０００９】
上述した課題を解決し、目的を達成するため、請求項１に記載の発明にかかる屈曲ズームレンズは、物体側から順に配置された、負の屈折力を有する前側レンズ群と光路を折り曲げる光学部材と正の屈折力を有する後側レンズ群とを備えた正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を含み構成されていることを特徴とする。
【手続補正４】
【補正対象書類名】明細書
【補正対象項目名】００１０
【補正方法】変更
【補正の内容】
【００１０】
この請求項１に記載の発明によれば、前記第１レンズ群中に光路を折り曲げる光学部材を配置しているので、レンズ系の全長を短くすることができる。さらに、負の屈折力を有する第４レンズ群と、正の屈折力を有する第５レンズ群とを備えており、より全長を短くできる。
【手続補正５】
【補正対象書類名】明細書
【補正対象項目名】００３３
【補正方法】変更
【補正の内容】
【００３３】
また、請求項１３に記載の発明にかかる屈曲ズームレンズは、請求項１〜１２のいずれか一つに記載の発明において、前記第１レンズ群、前記第３レンズ群、または前記第５レンズ群を構成する各レンズのうち、少なくともいずれか１面に非球面が形成されていることを特徴とする。この請求項１３に記載の発明によれば、前述した、請求項１〜１２のいずれか一つに記載の発明の効果に加え、諸収差の補正に優れた効果を奏する。
【手続補正６】
【補正対象書類名】明細書
【補正対象項目名】００３４
【補正方法】変更
【補正の内容】
【００３４】
また、請求項１４に記載の発明にかかる屈曲ズームレンズは、請求項１に記載の発明において、前記第２レンズ群及び前記第４レンズ群でズームを行い、前記第４レンズ群でフォーカスを行うものであり、広角側から望遠側へのズームは、前記第２レンズ群および第４レンズ群を前記物体側から前記像面側へ一方向で行うことを特徴とする。この請求項１４に記載の発明によれば、レンズ系の小型化が達成できる。